(57)【要約】【課題】  小型用紙アダプターを使用すると、用紙幅方向略中央に配置された給紙ローラに前記小型紙を対向させることができ、さらにはカセットに設けられたサイドガイドが小型用紙を位置規制するので小型用紙アダプターをセットした後は、サイドガイドを動かすだけでよい。よって操作性が向上する。また、小型用紙アダプターにサイドガイド等を設けてなく、カセット自体にも別のサイドガイド等を設ける必要もないので、部品点数削減およびコストダウンにもなる。【解決手段】  カセット内のサイドガイドにて位置規制不可能なサイズの小型用紙をカセットにセットする時に小型用紙アダプターを使用する。【選択図】        図１
2006151553.tif 000002
【特許請求の範囲】
【請求項１】
記録用紙搬送方向と直交する幅方向の位置規制部材を有するカセットと、位置規制部材にて位置規制不可能な大きさの記録用紙をガイドする小型用紙アダプターにおいて、前記位置規制部材の移動範囲内で、前記位置規制部材が小型用紙を前記小型用紙アダプターに設けられた小形用紙幅方向突き当て基準面に片寄せすることを特徴とする小型用紙アダプター。
【請求項２】
位置規制部材を有するカセットと、位置規制部材にて位置規制不可能な大きさの記録用紙をガイドする小型用紙アダプターにおいて、前記位置規制部材を小形用紙対応位置にセットした時、前記位置規制部材が、小型用紙を前記小型用紙アダプターに設けられた小形用紙幅方向突き当て基準面に片寄せすることを特徴とする小型用紙アダプター。
【請求項３】
前記位置規制部材を小形用紙対応位置にセットした時、該位置規制部材が小型用紙を前記小型用紙アダプターに設けられた小形用紙幅方向突き当て基準面に片寄せすると同時に、前記小型用紙アダプターが、前記カセットに設けられた用紙幅方向突き当て基準面に片寄せされる構成であることを特徴とする請求項１に記載の小型用紙アダプター。
【請求項４】
前記小型用紙アダプターは、カセットの内部で用紙搬送方向には自由に移動可能となっており、記録用紙搬送方向の用紙後端位置規制部材は小型用紙アダプターの位置規制が可能となっていることを特徴とする請求項１に記載の小型用紙アダプター。
【発明の詳細な説明】
【技術分野】
【０００１】
本発明は所定のサイズの用紙より小さい用紙に印刷する時の小型用紙用のアダプターに関する。
【０００２】
さらに詳しくは、用紙カセットにおける小型用紙アダプターに関する。
【背景技術】
【０００３】
従来のプリンターでは、通常さまざまな大きさの用紙に対応して印刷が可能な構成となっている。その用紙を積載しておくトレイあるいはカセットにおいて、用紙幅方向の位置を決めるために用紙の側端を押さえるサイドガイドが移動可能に設けられている。このサイドガイドは対応する用紙の最大寸法の用紙から対応する用紙の最小寸法までをカバーできるように移動可能である。一般的には、最大寸法は８．５インチから最小寸法はＡ５程度である。
【０００４】
しかしながら、用紙の多様化で、さらに小さい用紙に対応することが求められてきている。この場合、用紙の記録装置にセットする時のハンドリング、つまり、記録装置のトレイの奥深くに小さい用紙をセットする必要があるために小型用紙用のアダプターを設けているものもある（例えば、特許文献１参照）。
【特許文献１】特開２００２−１２８２８８号公報
【発明の開示】
【発明が解決しようとする課題】
【０００５】
また、小型用紙専用の記録装置等も考えられている。これは、用紙の最大寸法４インチ程度から最小寸法はがきサイズ程度までのものである。この種類の記録装置においては、用紙の幅が狭いために、給紙ローラが用紙幅方向の略中央にひとつのものがほとんどである。はがきサイズよりもさらに小型用紙、つまり、カードサイズや名刺サイズ（以下カードサイズ用紙）にまで対応するような要求がある。この場合、給紙ローラに上記超小型紙を当接させるには幅方向中央に積載する必要がある。つまりカードサイズ用紙の幅方向基準を変化させる必要が生じる。前記特許文献１においては、上述のカードサイズ用紙ではないため、幅方向基準を変える必要がない。
【０００６】
しかしながら、トレイに設けられたサイドガイドを移動し、さらには、小型用紙アダプターに設けられた第２のサイドガイドを移動させる必要があった。
【０００７】
また、従来の記録装置において、用紙の基準を幅方向のセンターにしているものもある。
【０００８】
このような記録装置においては通常、サイドガイドを幅方左右に対で有し、左右それぞれのサイドガイドをメカ的に連動させ、用紙をセットすると幅方向中央が用紙基準となる構成となっている。このような構成においては、左右のサイドガイドを連動させる為のメカが必要となり、部品点数が多くなるという問題があった。また、連動させるメカのために小型化の妨げになることもあった。
【０００９】
本発明は、以上の点に着目して成されたもので、操作性が向上し、部品点数削減およびコストダウンにもなる小型用紙アダプターを提供することを目的とする。
【課題を解決するための手段】
【００１０】
記録用紙を保持するカセットで、幅方向のサイドガイドを有するカセットと、さらには、サイドガイドにて位置規制不可能な大きさの記録用紙をガイドする小型用紙アダプターであって、前記カセットに設けられた記録用紙の幅方向突き当て基準面と、前記小型用紙アダプターに設けられた小形用紙幅方向突き当て基準面を有し、前記サイドガイドを小形用紙対応位置にセットした時、サイドガイドは小型用紙の位置規制をする構成の小型用紙アダプターである。
【００１１】
また、小型用紙アダプターは、カセットの内部で用紙搬送方向には自由に移動可能となっており、バックガイドは小型用紙アダプターに当接する構成の小型用紙アダプターである。
【００１２】
なお、さらに詳細に説明すれば、本発明は下記の構成によって前記課題を解決できた。
【００１３】
（１）記録用紙搬送方向と直交する幅方向の位置規制部材を有するカセットと、位置規制部材にて位置規制不可能な大きさの記録用紙をガイドする小型用紙アダプターにおいて、前記位置規制部材の移動範囲内で、前記位置規制部材が小型用紙を前記小型用紙アダプターに設けられた小形用紙幅方向突き当て基準面に片寄せすることを特徴とする小型用紙アダプター。
【００１４】
（２）位置規制部材を有するカセットと、位置規制部材にて位置規制不可能な大きさの記録用紙をガイドする小型用紙アダプターにおいて、前記位置規制部材を小形用紙対応位置にセットした時、前記位置規制部材が、小型用紙を前記小型用紙アダプターに設けられた小形用紙幅方向突き当て基準面に片寄せすることを特徴とする小型用紙アダプター。
【発明の効果】
【００１５】
本発明によれば、カセット内のサイドガイドおよびバックガイドにて位置規制不可能なサイズの小型用紙をカセットにセットする時、該小型用紙アダプターを使用する。該小型用紙アダプターを使用すると、用紙幅方向略中央に配置された給紙ローラに、前記小型紙を対向させることができ、さらにはカセットのサイドガイドが小型用紙を位置規制する構成であるので、小型用紙アダプターをセットした後の動作は、サイドガイドを動かすだけでよい。よって、操作性が向上する。
【００１６】
また、小型用紙アダプターには第２のサイドガイド等を設けてなく、カセット自体にも別のサイドガイド等を設ける必要もないので、部品点数削減およびコストダウンにもなる。
【発明を実施するための最良の形態】
【００１７】
以下、本発明の実施の形態について図面を参照して説明する。
【実施例１】
【００１８】
図１は本発明のカセットの全体斜視図である。１はカセットユニット、２はカセットフロントカバー、３はカセットアッパーカバーである。図中矢印Ａはカセットを不図示の記録装置に挿入する方向および記録用紙の給紙される方向である。図２は本発明のカセットの上カバーをはずした斜視図である。４はサイドガイド、５はバックガイド、６は小型用紙アダプター、７は圧板、である。図３はカセットの小型用紙アダプター６をはずしたところである。６ａは小型用紙積載部、６ｂは小型用紙幅方向突き当て基準面である。１ａ、１ｂはカセットユニット１に設けられた用紙基準である。図４はカードサイズ用紙を積載した斜視図で、８がカードサイズ用紙である。
【００１９】
通常の用紙をセットするときには（この場合は４×６サイズ紙（図５の９に図示）やＬ版サイズ紙（図６の１０に図示）である）、サイドガイド４およびバックガイド５はそれぞれの位置に対応した位置に移動され保持される構成となっている。
【００２０】
ところが小型用紙専用の記録装置においては、例えば給紙ローラ（不図示）が幅方向中央に一箇所だけ配置されるものが多い。そのとき、カードサイズ用紙８を該給紙ローラに当接させるために用紙幅方向中央にセットする必要が生じる。さらにいうと、用紙基準１ａ、１ｂを幅方向中央方向にずらす必要が生じる。このときに前記小型用紙アダプター６を使用する。この小型用紙アダプター６は小型用紙積載部６ａを有し、そこにカードサイズ用紙８を積載する。積載されたカードサイズ用紙８と小型用紙アダプター６をカセットユニット１に搭載する（図７）。
【００２１】
その後、サイドガイド４を小形用紙対応位置にセットする。この小型用紙対応位置は、前記４×６サイズ紙やＬ版用紙対応の位置よりも、さらに幅方向中央よりに設定される。サイドガイド４を該小型用紙対応位置にセットすると、カードサイズ用紙８に当接する（図８）。するとサイドガイド４によって押圧されたカードサイズ用紙８は小型用紙アダプター６の小型用紙幅方向突き当て基準面６ｂに片寄せされる。さらにカードサイズ用紙８によって押圧された小型用紙アダプター６は、カセットユニット内の用紙基準面１ａ、１ｂに片寄せされる。つまり、サイドガイド４を操作するだけでカードサイズ用紙８とその小型用紙アダプター６の片寄せが完了し、用紙のがたをなくすことができる。
【実施例２】
【００２２】
図９に本発明の第二の実施例の斜視図を示す。これは、サイドガイド４の位置を図６に示したように、通常使用するＬ版サイズ紙の位置にセットしたものである。この位置でカードサイズ用紙８と小型用紙アダプター６の片寄せができるように、小型用紙アダプター６の小型用紙積載部６ａを若干オフセットした形状となっている。このような構成にすることで、サイドガイド４の移動範囲を広げることなしに、カードサイズ用紙８に対応可能となる。その他の構成、効果は、実施例１とまったく同様である。
【図面の簡単な説明】
【００２３】
【図１】本発明のカセットの全体斜視図
【図２】本発明のカセットの上カバーをはずした斜視図
【図３】本発明のカセットの小型用紙アダプターをはずした斜視図
【図４】本発明のカセットの上カバーをはずし、カードサイズ用紙を積載した斜視図
【図５】本発明のカセットの上カバーをはずし、４×６サイズ用紙を積載した斜視図
【図６】本発明のカセットの上カバーをはずし、Ｌ版用紙を積載した斜視図
【図７】本発明のカセットの上カバーをはずし、カードサイズ用紙を積載するときの上面図
【図８】本発明のカセットの上カバーをはずし、カードサイズ用紙を積載し、サイドガイドをセットしたときの上面図
【図９】本発明の第二の実施例の上カバーをはずした斜視図
【符号の説明】
【００２４】
１    カセットユニット
１ａ、１ｂ  カセットユニット１に設けられた用紙基準
２    カセットフロントカバー
３    カセットアッパーカバー
４    サイドガイド
５    バックガイド
６    小型用紙アダプター
６ａ  小型用紙積載部
６ｂ  小型用紙幅方向突き当て基準面
７    圧板
８    カードサイズ用紙
９    ４×６サイズ紙
１０  Ｌ版サイズ紙
【図１】
2006151553.tif 000003
【図２】
2006151553.tif 000004
【図３】
2006151553.tif 000005
【図４】
2006151553.tif 000006
【図５】
2006151553.tif 000007
【図６】
2006151553.tif 000008
【図７】
2006151553.tif 000009
【図８】
2006151553.tif 000010
【図９】
2006151553.tif 000011